(57)【要約】【課題】無駄なバッテリ消費を抑えられ、かつ、誤った測定データを採取せずに済むようにした測定装置を提供すること。【解決手段】チェーン稼動状態測定装置１００において、チェーンＣの稼動状態を検出する半導体ひずみゲージ１１０と、この半導体ひずみゲージ１１０の出力を無線送信する送信モジュール１２０と、それら半導体ひずみゲージ１１０及び送信モジュール１２０に電力を供給する給電手段１３０と、無通電状態で遠隔操作手段１５０から発せられた電源オン光信号を受信して起電力を生じる光電変換素子１４１と、該光電変換素子で生じた起電力に応じて無通電状態から通電状態となり、半導体ひずみゲージ及び送信モジュールに対して給電手段から電力を供給するスイッチをオンする自己保持型半導体スイッチング素子１４２とを備える電力供給監視手段１４０とを備える。【選択図】図１
2006162281.tif 000002
【特許請求の範囲】
【請求項１】
被測定部材の稼動状態を検出する検出手段と、
前記検出手段の検出値を所定部に出力する出力手段と、
前記検出手段及び前記出力手段に電力を供給する給電手段と、
無通電状態で遠隔操作手段から発せられた電源オン光信号を受信して起電力を生じる光電変換素子と、該光電変換素子で生じた起電力に応じて無通電状態から通電状態となり、前記検出手段及び前記出力手段に対して前記給電手段から電力を供給するスイッチをオンする自己保持型半導体スイッチング素子とを備える電力供給監視手段と
の全てが前記被測定部材に設置され、
前記自己保持型半導体スイッチング素子のスイッチをオンされて前記給電手段から前記検出手段及び前記出力手段にそれぞれ電力が供給されると、前記被測定部材の稼動状態の検出動作及び前記検出値の出力動作を含む測定処理動作を開始することを特徴とする測定装置。
【請求項２】
前記電力供給監視手段は、
前記自己保持型半導体スイッチング素子がスイッチオン状態になって前記給電手段から電力が供給された場合に、前記給電手段の電圧値を監視し、監視電圧値が予め規定した所定値を下回った場合に電源オフ出力を出す電源電圧監視手段と、
該電源電圧監視手段の電源オフ出力に応じて前記自己保持型半導体スイッチング素子のスイッチをオフして前記検出手段及び前記出力手段に対する前記給電手段からの電力を休止する非自己保持型半導体スイッチング素子と
を更に備えることを特徴とする請求項１記載の測定装置。
【請求項３】
前記検出手段が、チェーンのリンクプレートなどの被測定部材に固定される半導体ひずみゲージであり、前記出力手段が、該半導体ひずみゲージの出力を無線送信する前記被測定部材に固定される集積回路からなる送信モジュールであり、前記給電手段が、それら半導体ひずみゲージ及び送信モジュールに電力を供給するバッテリであることを特徴とする請求項１または請求項２いずれか記載の測定装置。
【発明の詳細な説明】
【技術分野】
【０００１】
本発明は、測定装置に係わり、詳しくは、伝動チェーンのリンクプレートなどの小形な被測定部材に取り付けられ、該被測定部材の稼動状態を測定するチェーン稼動状態測定装置などの小形な測定装置に関するものである。
【背景技術】
【０００２】
従来、駆動用電源に電池（バッテリ）を採用し、小形な被測定部材に取り付けられる為に遠隔操作により装置の電源のＯＮ／ＯＦＦを行えないような測定装置が知られている。例えば、本出願人により既に出願済みの特願２００４−２５５１６８号明細書記載の「チェーン稼動状態測定装置」などがその一つである。
【発明の開示】
【発明が解決しようとする課題】
【０００３】
ところで、前述した測定装置では、電源をＯＮしてから被測定部材に設置して所定の測定を行うようにしている為、その設置時間分だけバッテリを余分に消耗することとなる。
【０００４】
また、前述した測定装置では、電源をＯＮすると同時に所定の測定動作を開始するので、その設置時間内に採取した測定データは正しくなく不必要なものも含んでいる。
【０００５】
さらに、前述した測定装置では、バッテリの電力消費により安定して作動するのに必要な電力を装置に供給できないくらいバッテリの出力電圧が低下してしまうと、装置誤動作を生じて誤った測定データを採取してしまう。
【０００６】
すなわち、前述した測定装置にあっては、小形な装置構造の為に遠隔より装置の電源をオンまたはオフすることができず、それにより、バッテリを無駄に消費するとともに、不必要な測定データを採取してしまっており、また、バッテリの出力電圧の低下によって装置誤動作を生じ誤った測定データを採取してしまうというおそれがあった。
【０００７】
そこで、本発明は、前述したような課題を解決するものであって、すなわち、本発明の目的は、小形な装置構造においても、少ない回路構成で遠隔より装置電源のオン操作を行えるようにすることにより、無駄なバッテリ消費を抑え、かつ、不必要な測定データを採取せずに済むとともに、バッテリの出力電圧が規定値を下回った場合に装置への電力供給を停止することにより、装置誤動作による誤測定データを採取せずに済むようにした測定装置を提供することにある。
【課題を解決するための手段】
【０００８】
上記目的を達成するために、本請求項１記載の測定装置は、被測定部材の稼動状態を検出する検出手段と、前記検出手段の検出値を所定部に出力する出力手段と、前記検出手段及び前記出力手段に電力を供給する給電手段と、無通電状態で遠隔操作手段から発せられた電源オン光信号を受信して起電力を生じる光電変換素子と、該光電変換素子で生じた起電力に応じて無通電状態から通電状態となり、前記検出手段及び前記出力手段に対して前記給電手段から電力を供給するスイッチをオンする自己保持型半導体スイッチング素子とを備える電力供給監視手段との全てが前記被測定部材に設置され、前記自己保持型半導体スイッチング素子のスイッチをオンされて前記給電手段から前記検出手段及び前記出力手段にそれぞれ電力が供給されると、前記被測定部材の稼動状態の検出動作及び前記検出値の出力動作を含む測定処理動作を開始することを特徴とする。
【０００９】
また、本請求項２記載の測定装置は、本請求項１記載の測定装置の構成に加えて、前記電力供給監視手段は、前記自己保持型半導体スイッチング素子がスイッチオン状態になって前記給電手段から電力が供給された場合に、前記給電手段の電圧値を監視し、監視電圧値が予め規定した所定値を下回った場合に電源オフ出力を出す電源電圧監視手段と、該電源電圧監視手段の電源オフ出力に応じて前記自己保持型半導体スイッチング素子のスイッチをオフして前記検出手段及び前記出力手段に対する前記給電手段からの電力を休止する非自己保持型半導体スイッチング素子とを更に備えることを特徴とする。
【００１０】
また、本請求項３記載の測定装置は、本請求項１または本請求項２いずれか記載の測定装置の構成に加えて、前記検出手段が、チェーンのリンクプレートなどの被測定部材に固定される半導体ひずみゲージであり、前記出力手段が、該半導体ひずみゲージの出力を無線送信する前記被測定部材に固定される集積回路からなる送信モジュールであり、前記給電手段が、それら半導体ひずみゲージ及び送信モジュールに電力を供給するバッテリであることを特徴とする。
【発明の効果】
【００１１】
本請求項１の測定装置によれば、被測定部材の稼動状態を検出する検出手段と、前記検出手段の検出値を所定部に出力する出力手段と、前記検出手段及び前記出力手段に電力を供給する給電手段と、無通電状態で遠隔操作手段から発せられた電源オン光信号を受信して起電力を生じる光電変換素子と、該光電変換素子で生じた起電力に応じて無通電状態から通電状態となり、前記検出手段及び前記出力手段に対して前記給電手段から電力を供給するスイッチをオンする自己保持型半導体スイッチング素子とを備える電力供給監視手段との全てが前記被測定部材に設置され、前記自己保持型半導体スイッチング素子のスイッチをオンされて前記給電手段から前記検出手段及び前記出力手段にそれぞれ電力が供給されると、前記被測定部材の稼動状態の検出動作及び前記検出値の出力動作を含む測定処理動作を開始するようにしているため、小形な装置構造においても、少ない回路構成で被測定部材の稼動状態の測定に適した所望のタイミングで遠隔より装置電源のオン操作を行えるようにすることにより、無駄なバッテリ消費を抑えることができるとともに、不必要な測定データを採取せずに済むようになる。
【００１２】
また、本請求項２記載の測定装置によれば、本請求項１記載の測定装置の構成に加えて、前記電力供給監視手段は、前記自己保持型半導体スイッチング素子がスイッチオン状態になって前記給電手段から電力が供給された場合に、前記給電手段の電圧値を監視し、監視電圧値が予め規定した所定値を下回った場合に電源オフ出力を出す電源電圧監視手段と、該電源電圧監視手段の電源オフ出力に応じて前記自己保持型半導体スイッチング素子のスイッチをオフして前記検出手段及び前記出力手段に対する前記給電手段からの電力を休止する非自己保持型半導体スイッチング素子とを更に備えるようにしたため、前述の本請求項１記載の測定装置が奏する効果に加えて、給電手段の出力電圧が規定値を下回った場合に装置への電力供給を停止することで、装置誤動作による誤測定データを採取せずに済むようになる。
【００１３】
また、本請求項３の測定装置によれば、本請求項１または本請求項２いずれか記載の測定装置の構成に加えて、前記検出手段が、チェーンのリンクプレートなどの被測定部材に固定される半導体ひずみゲージであり、前記出力手段が、該半導体ひずみゲージの出力を無線送信する前記被測定部材に固定される集積回路からなる送信モジュールであり、前記給電手段が、それら半導体ひずみゲージ及び送信モジュールに電力を供給するバッテリであるため、前述の本請求項１または本請求項２いずれか記載の測定装置が奏する効果に加えて、チェーン性能をより簡単にかつ低コストで測定することができる。具体的には、半導体ひずみゲージは、その出力が大きく、例えば、金属抵抗線を用いたひずみゲージの５０〜１００倍もあって、増幅回路がなくても、所要の測定を行なうことができるため、送信モジュールの回路構成が簡素になり、低コストかつ小型に集積回路化することができる。加えて、送信モジュールの電力消費が少なく、半導体ひずみゲージと一緒に小容量のバッテリで給電することができるため、金属線ひずみゲージを用いた送信システムに比べて、装置を低コストかつ小型に製造することができる。そして、送信モジュールが小さくなるため、例えば、チェーンのリンクプレートにこれらを簡単に固定することができる。
【発明を実施するための最良の形態】
【００１４】
以下、本発明の実施の形態について添付図面を参照して説明する。
【００１５】
なお、以下の説明では、伝動チェーンのリンクプレートなどの小形な被測定部材に取り付けられ、該被測定部材の稼動状態を測定するチェーン稼動状態測定装置に本発明を適用した場合について説明する。
【００１６】
図１乃至図３に示すチェーン稼動状態測定装置１００は、被測定部材がチェーンＣであり、このチェーンＣの張力を測定するためのものである。
【００１７】
チェーンＣは、図２及び図３に示すように、外リンクプレートＣ１及び内リンクプレートＣ２の両端を連結ピンＣ３によって屈曲可能に連結されている。このチェーンＣは、駆動側スプロケットＳ１と従動側スプロケットＳ２とに巻き掛けられ、駆動側スプロケットＳ１をモータ等によって駆動することで矢印Ａの方向に回転する。
【００１８】
半導体ひずみゲージ（検出手段）１１０が外リンクプレートＣ１に取り付けられている。取り付けは、チェーンＣの張力変化によって半導体ひずみゲージ１１０が電気信号を出力するように、半導体ひずみゲージ１１０を外リンクプレートＣ１の上に配置すると共に、図３に示すように、接着剤Ｘによって外リンクプレートＣ１に固定し、コーティング材Ｙによって覆うことによってなされている。
【００１９】
別の外リンクプレートＣ１には、送信モジュール（出力手段）１２０が取り付けられ、ワイヤー１０１によって半導体ひずみゲージ１１０に電気接続されている。この送信モジュール１２０は、半導体ひずみゲージ１１０を一辺とするブリッジ回路および送信回路を含む半導体集積回路からなっており、ひずみゲージに対する増幅回路や校正回路を備えていない。送信回路の発振回路には振動による影響の少ないＳＡＷ共振子を用いている。この送信モジュール１２０も、外リンクプレートＣ１に接着剤Ｘによって固定されていると共に、コーティング材Ｙによって覆われている。
【００２０】
そして、更に別の外リンクプレートＣ１には、給電手段１３０としてのボタン形電池が接着剤Ｘによって固定されていると共に、コーティング材Ｙによって覆われている。なお、図２の実施例では、給電手段１３０が、電力供給監視手段１４０を介して半導体ひずみゲージ１１０及び送信モジュール１２０のそれぞれと各ワイヤー（ワイヤー１０２，ワイヤー１０３，ワイヤー１０４）で電気接続されている。
【００２１】
また、更に別の外リンクプレートＣ１には、電力供給監視手段１４０が取り付けられてる。この電力供給監視手段１４０は、後述の受信装置（遠隔操作手段）１５０からの電源オン操作に対応して給電手段１３０からの電力を負荷（半導体ひずみゲージ１１０及び送信モジュール１２０）へ供給開始するとともに、給電手段１３０の出力電圧が規定値を下回った場合に負荷（半導体ひずみゲージ１１０及び送信モジュール１２０）への電力供給を停止する。
【００２２】
また、受信装置（遠隔操作手段）１５０は、送信モジュール１２０からの信号を受信することができる受信回路をもつもので、チェーンＣから独立して配置されている。また、本実施例では、この受信装置１５０は、電源供給監視手段１４０に対して負荷（半導体ひずみゲージ１１０及び送信モジュール１２０）へ給電手段１３０から電力を供給するように電源オンを指示する電源オン指示回路を有している。
【００２３】
なお、このようなチェーン稼動状態測定装置１００では、チェーンＣが回転すると、チェーン張力によって外リンクプレートＣ１が伸縮する。半導体ひずみゲージ１１０が外リンクプレートＣ１のこの伸縮を電気信号に変換し、送信モジュール１２０に出力する。受信装置１５０は、送信モジュール１２０のアンテナ１２１からの信号をアンテナ１５１によって受信し、解析装置等に出力する。
【００２４】
そして、受信装置１５０は、送信モジュール１２０から出力される電波強度に応じて、アンテナ１５１が送信モジュール１２０の電界内に常に位置するようにする。例えば、受信装置１５０は、アンテナ１５１を、チェーンＣの経路の上にあるいは送信モジュール１２０の軌跡の上にあるように配置して、送信モジュール１２０からの電波を常に確実にキャッチするようにさせる。さらに、必要に応じて、もう一つの補完受信装置を用意し、チェーン経路における受信状態の悪い場所に配置し、受信装置１５０の受信を補完する。
【００２５】
本発明によるチェーン稼動状態測定装置１００は、このように、半導体ひずみゲージ１１０の出力が大きく、送信モジュール１２０の回路に増幅回路や校正回路を必要とせず、回路構成がきわめて簡単であり、装置製造を低コストで行なえる。さらに、半導体ひずみゲージ１１０及び送信モジュール１２０の電力消費が少ないため、小型の電池によって長時間の測定が可能になる。さらに、半導体ひずみゲージ１１０、送信モジュール１２０及び電池等の給電手段１３０を外リンクプレートＣ１やシャフト等の被測定部材に単に装着するだけで所要の測定を行なうことができるため、測定作業も簡単にかつ低コストで行なえる。また、小型かつ軽量であるためチェーンの動きそのものに及ぼす影響が小さく、チェーンの稼動状態を高精度に測定することができる。
【００２６】
なお、以上説明した実施例において、ディスクリートな構成となっているが、印刷配線板に送信モジュール１２０及び給電手段１３０及び電力供給監視手段１４０を実装する等してもよい。
【００２７】
次に、前述した電力供給監視手段１４０の詳細な構成について説明する。すなわち、前述したチェーン稼動状態測定装置１００の負荷（半導体ひずみゲージ１１０及び送信モジュール１２０）の電源を遠隔よりオンする場合と、給電手段１３０の出力電圧が規定値を下回ったときに負荷への電力を休止する場合の構成及び処理動作について図４乃至図７を用いて説明する。
【００２８】
図４は、電力供給監視手段１４０の詳細な回路構成を示す回路図である。
【００２９】
図４において、電力供給監視手段１４０は、受信装置（遠隔操作手段）１５０の電源ＯＮ操作に対応して負荷（半導体ひずみゲージ１１０及び送信モジュール１２０）へ給電手段１３０からの電力の供給を行うとともに、給電手段１３０の出力電圧（以下、電源電圧という）が規定値を下回った場合に負荷に対する給電手段１３０からの電力供給を停止する回路である。そして、この電力供給監視手段１４０は、電源ＯＮ用光電変換素子１４１と、サイリスタ１４２と、光ＭＯＳリレー１４３と、電源電圧監視手段１４４と、レギュレータ１４５とを備え、それら各構成要素が負荷（半導体ひずみゲージ１１０及び送信モジュール１２０）および給電手段１３０と同図４に示すような接続形態で各々電気的に接続されて構成される。
【００３０】
ここで、電源ＯＮ用光電変換素子１４１は、光信号を入力して起電力を発生する光電変換素子である。例えば、その光電変換素子の構造としては、Ｐ側がプラス極、Ｎ側がマイナス極となっているようなＰＮ接合ダイオードを有し、そのＰＮ接合ダイオードに光が当たると空乏層に自由電子とホールが発生して、端子間に起電力を生じるような構造を有している。なお、具体的に、電源ＯＮ用光電変換素子１４１は、受信装置（遠隔操作手段）１５０から発せられた電源オン用光信号を入力すると、後段のサイリスタ１４２のゲート（Ｇ）−カソード（Ｋ）間に起電力を生じる。
【００３１】
また、サイリスタ１４２（ｔｈｙｒｉｓｔｏｒ）は、ノーマリーオフタイプのサイリスタであって、電源ＯＮ用光電変換素子１４１の出力電圧でスイッチオン（すなわち、通電状態）となる自己保持型半導体スイッチング素子である。また、このサイリスタ１４２は、通電状態になった後、アノード（Ａ）−カソード（Ｋ）間の電圧が供給されなくなると、スイッチオフ（すなわち、無通電状態）に戻る。
【００３２】
また、光ＭＯＳリレー１４３は、ノーマリーオンタイプの光ＭＯＳリレーであって、後述の電源電圧監視手段１４４の電源ＯＦＦ出力によって自装しているＬＥＤが通電され、そのＬＥＤが発光し、その光によって同じく自装している電界効果トランジスタ（ＦＥＴ）がＯＦＦ（すなわち、無通電状態）となるとともに、また、電源電圧監視手段１４４の電源ＯＦＦ出力がなくなると、ＬＥＤが通電されず発光がなくなり、ＦＥＴがＯＮ（すなわち、通電状態）に戻るような非自己保持型半導体スイッチング素子である。
【００３３】
また、電源電圧監視手段１４４は、サイリスタ１４２がスイッチＯＮ状態となると、電力が供給されて、給電手段１３０の電源電圧と後述のレギュレータ１４５のレギュレータ電圧を監視し、電源電圧がレギュレータ電圧以下になった場合に光ＭＯＳリレー１４３のＬＥＤの端子電圧間に起電力を発生させ、ＬＥＤを点灯させる。なお、この電源電圧監視手段１４４は、電源電圧とレギュレータ電圧の比較ができ、電源電圧がレギュレータ電圧以下になると、光ＭＯＳリレーのＬＥＤをＯＮできるものであればよく、例えば、図５に示すようなアナログコンパレータを用いたもので実現される。
【００３４】
また、レギュレータ１４５は、負荷（半導体ひずみゲージ１１０及び送信モジュール１２０）で使用する電圧を安定化する電源安定機である。例えば、３端子レギュレータなどの、入力、接地、出力の３端子を持ち、入力された直流電源を平滑、定電圧化して出力する小型の電圧整流素子で実現される。
【００３５】
なお、受信装置（遠隔操作手段）１５０は、前述の電力供給監視手段１４０に対して、負荷（半導体ひずみゲージ１１０及び送信モジュール１２０）に対する給電手段１３０の電力の供給を指示する電源ＯＮ用外部リモコンとしての機能を有する。そして、この受信装置（遠隔操作手段）１５０は、電源ＯＮ用発光部１５２と、切り換えスイッチ１５３とを備えて構成される。
【００３６】
ここで、電源ＯＮ用発光部１５２は、電力供給監視手段１４０に対して負荷（半導体ひずみゲージ１１０及び送信モジュール１２０）への電力供給の開始（電源ＯＮ）を指示する電源ＯＮ用光信号を発するものであり、例えば、発光ダイオード（ＬＥＤ）で実現されるが、電力供給監視手段１４０の電源ＯＮ用光電変換素子１４１に起電力を発生させるものであれば発光ダイオード（ＬＥＤ）以外のものでも良い。
【００３７】
また、切り換えスイッチ１５３は、操作者が、電源ＯＮを指示する為のスイッチである。
【００３８】
次に、前述した構成の電力供給監視手段１４０の処理動作について説明する。
【００３９】
まず、電源ＯＮ時の動作について図６を参照して説明する。
【００４０】
チェーン稼動状態測定装置１００において、負荷（半導体ひずみゲージ１１０及び送信モジュール１２０）へ電力が供給されていない場合（電源ＯＦＦ状態）には、ノーマリーオフタイプのサイリスタ１４２がＯＦＦ状態（すなわち、無通電状態）となっており、電力供給監視手段１４０にも電力が供給されず、この電力供給監視手段１４０は無通電状態とされている。
【００４１】
この時、電源ＯＮ用光電変換素子１４１に受信装置（遠隔操作手段）１５０の電源ＯＮ用発光部１５２から発せられた電源ＯＮ用光信号が入ると（ａ）、光電変換によって電源ＯＮ用光電変換素子１４１に電圧が発生する。そして、この発生した電圧がサイリスタ１４２のゲート（Ｇ）−カソード（Ｋ）間に印加される（ｂ）。
【００４２】
そして、前述のゲート（Ｇ）−カソード（Ｋ）間電圧がサイリスタ１４２のＯＮ電圧に達すると、サイリスタ１４２がスイッチＯＮ状態（すなわち、通電状態）となり（ｃ）、更に、ノーマリーオンタイプの光ＭＯＳリレー１４３を使用していることにより、半導体ひずみゲージ１１０及び送信モジュール１２０への電力供給が開始される（ｄ）。これにより、半導体ひずみゲージ１１０及び送信モジュール１２０が、給電が開始された直後から動作を開始する（ｅ）。すなわち、半導体ひずみゲージ１１０が、チェーンＣの稼動状態の検出動作を開始するとともに、送信モジュール１２０が、半導体ひずみゲージ１１０の検出出力を無線送信する動作を開始する。なお、実際に、半導体ひずみゲージ１１０及び送信モジュール１２０で使用される電圧は、レギュレータ１４５により電圧を安定化されたものを使用している。
【００４３】
また、サイリスタ１４２がスイッチＯＮ状態となると、電源電圧監視手段１４４に電力が供給されて（ｆ）、給電手段１３０の電源電圧とレギュレータ１４５のレギュレータ電圧を監視する（ｇ）。
【００４４】
このように、小形な装置構造においても、少ない回路構成で、被測定部材の稼動状態の測定に適した所望のタイミングで遠隔より装置電源のオン操作を行えるようにすることにより、無駄なバッテリ消費を抑えることができるとともに、不必要な測定データを採取せずに済むようになる。
【００４５】
次に、給電手段１３０の電源電圧が規定値を下回った場合に半導体ひずみゲージ１１０及び送信モジュール１２０への電力を休止する場合の処理動作について図７を参照して説明する。
【００４６】
負荷（半導体ひずみゲージ１１０及び送信モジュール１２０）へ電力が供給され（電源ＯＮされ）、電源電圧監視手段１４４に電力が供給されると（ｆ）、電源電圧監視手段１４４が、給電手段１３０の電源電圧とレギュレータ１４５のレギュレータ電圧を監視している（ｇ）。
【００４７】
ここで、電源電圧監視手段１４４が、電源電圧とレギュレータ電圧の監視の結果、電源電圧がレギュレータ電圧以下になったこと（すなわち、給電手段１３０の電力が無くなりかけたこと）を検知すると、光ＭＯＳリレー１４３のＬＥＤ端子間に起電力を発生させ（ｈ）、ＬＥＤを発光させる（ｉ）。すると、光ＭＯＳリレー１４３のＦＥＴがＯＦＦ状態（すなわち、無通電状態）になる（ｊ）。これにより、サイリスタ１４２への通電が止められるので、サイリスタ１４２はスイッチＯＮ状態からスイッチＯＦＦ状態に戻る（ｋ）。そして、半導体ひずみゲージ１１０及び送信モジュール１２０への電力供給が休止される（ｌ）。これにより、半導体ひずみゲージ１１０が検出動作を停止するとともに、送信モジュール１２０が送信動作を停止するので（ｍ）、受信装置（遠隔操作手段）１５０に負荷部誤動作による誤った測定データが送信されることを防ぐことができる。
【００４８】
さらに、サイリスタ１４２がスイッチＯＦＦ状態に戻ると、電源電圧監視手段１４４への電力供給が停止される（ｎ）。
【００４９】
また、電源電圧監視手段１４４への電力供給が停止されると、光ＭＯＳリレー１４３のＬＥＤの端子間の起電力が無くなるので（ｏ）、ＬＥＤの発光が止み（ｐ）、光ＭＯＳリレー１４３のＦＥＴはスイッチＯＦＦ状態からスイッチＯＮ状態に戻る（ｑ）。なお、この時、既にサイリスタ１４２がスイッチＯＦＦ状態になっているので、負荷への電力供給は行われない。
【００５０】
このように、負荷に適正な電源電圧が印加されなくなれば、電源電圧の供給を止めて負荷の動作を停止させることで誤動作を防止することができるので、誤った測定データを採取してなくても済むようになる。
【００５１】
すなわち、前述したような構成によると、電源をＯＮしてから、供給電圧が降下する間の必要で正しい測定データを採取することができる。遠隔で電源をＯＮできる機構を備え、測定を開始したいときに装置の起動が遠隔でできるので、従来のように、電源をＯＮしてから被測定部材に設置して測定を行うことで、設置時間分だけバッテリを無駄に消耗したり、設置時間内の不必要な測定データを採取したりせずに済む。また、電源電圧がレギュレータ電圧以下になると電源電圧監視手段が電源ＯＦＦ出力動作を行って測定装置（負荷部）への電圧供給を停止させるので、誤った測定データの収集を防止することができる。
【００５２】
なお、前述の図２に示す実施例では、１つの給電手段１３０を備える構成を示したが、これ以外にも、例えば、図８に示すように、２つの給電手段（ボタン形電池）１３０ａ，給電手段（ボタン形電池）１３０ｂを備える形態にしても良い。すなわち、この図８の実施例では、給電手段１３０ａが、電力供給監視手段１４０ａを介して半導体ひずみゲージ１１０と各ワイヤー（ワイヤー１０５、ワイヤー１０６）で電気接続されるとともに、給電手段１３０ｂが、電力供給監視手段１４０ｂを介して送信モジュール１２０と各ワイヤー（ワイヤー１０７、ワイヤー１０８）で電気接続される。なお、このように、電源を２つ備える構成によれば、電源が分割され、設置の自由度が高くなる。
【００５３】
また、前述の実施例では、負荷への電力供給を指示する電源ＯＮを指示する遠隔操作手段をチェーン稼動状態測定装置１００の測定データを受信する受信装置１５０に組み込んだ場合を説明したが、このような実施形態に限定されず、受信装置には、測定データの受信機能回路のみを備え、そのような受信装置とは個別の電源ＯＮ専用端末として遠隔操作手段を設けるようにしても良い。
【００５４】
前述した構成によると、被測定部材の稼動状態を検出する検出手段と、検出手段の検出値を所定部に出力する出力手段と、検出手段及び出力手段に電力を供給する給電手段と、無通電状態で遠隔操作手段から発せられた電源オン光信号を受信して起電力を生じる光電変換素子と、該光電変換素子で生じた起電力に応じて無通電状態から通電状態となり、前記検出手段及び前記出力手段に対して前記給電手段から電力を供給するスイッチをオンする自己保持型半導体スイッチング素子とを備える電力供給監視手段との全てが被測定部材に設置され、自己保持型半導体スイッチング素子のスイッチをオンされて給電手段から検出手段及び出力手段にそれぞれ電力が供給されると、被測定部材の稼動状態の検出動作及び検出値の出力動作を含む測定処理動作を開始するようにしているため、小形な装置構造においても、少ない回路構成で被測定部材の稼動状態の測定に適した所望のタイミングで遠隔より装置電源のオン操作を行えるようにすることにより、無駄なバッテリ消費を抑えることができるとともに、不必要な測定データを採取せずに済む。
【００５５】
また、前述した構成によると、電力供給監視手段は、自己保持型半導体スイッチング素子がスイッチオン状態になって給電手段から電力が供給された場合に、給電手段の電圧値を監視し、監視電圧値が予め規定した所定値を下回った場合に電源オフ出力を出す電源電圧監視手段と、該電源電圧監視手段の電源オフ出力に応じて自己保持型半導体スイッチング素子のスイッチをオフして検出手段及び出力手段に対する給電手段からの電力を休止する非自己保持型半導体スイッチング素子とを更に備えるようにしたため、給電手段の電源電圧が規定値を下回った場合に装置への電力を休止することで、装置誤動作による誤測定データを採取せずに済む。
【００５６】
また、前述した構成によると、検出手段が、チェーンのリンクプレートなどの被測定部材に固定される半導体ひずみゲージであり、出力手段が、該半導体ひずみゲージの出力を無線送信する被測定部材に固定される集積回路からなる送信モジュールであり、給電手段が、それら半導体ひずみゲージ及び送信モジュールに電力を供給するバッテリであることにより、チェーン性能をより簡単にかつ低コストで測定することができる。具体的には、半導体ひずみゲージは、その出力が大きく、例えば、金属抵抗線を用いたひずみゲージの５０〜１００倍もあって、増幅回路がなくても、所要の測定を行なうことができるため、送信モジュールの回路構成が簡素になり、低コストかつ小型に集積回路化することができる。加えて、送信モジュールの電力消費が少なく、半導体ひずみゲージと一緒に小容量の給電手段で給電することができるため、金属線ひずみゲージを用いた送信システムに比べて、装置を低コストかつ小型に製造することができる。そして、送信モジュールが小さくなるため、例えば、チェーンのリンクプレートにこれらを簡単に固定することができる。
【図面の簡単な説明】
【００５７】
【図１】本発明に係るチェーン稼動状態測定装置の一実施例の構成を示す説明図。
【図２】図１に示すチェーン稼動状態測定装置の拡大斜視図。
【図３】図２のＺ−Ｚ線に沿う拡大断面図。
【図４】図１に示す受信装置及び電力供給監視手段の回路構成を示すブロック図。
【図５】図４に示す電源電圧監視手段の回路構成を示す回路図。
【図６】図４に示す回路での電源ＯＮ時の回路閉状態を示す図。
【図７】図４に示す回路での電源ＯＦＦ時の回路開状態を示す図。
【図８】図２に示すチェーン稼動状態測定装置の変形例を示す拡大斜視図。
【符号の説明】
【００５８】
１００  ・・・  チェーン稼動状態測定装置（測定装置）
１１０  ・・・  半導体ひずみゲージ（検出手段）
１２０  ・・・  送信モジュール（出力手段）
１２１  ・・・  アンテナ
１３０（１３０ａ，１３０ｂ）  ・・・  給電手段（小型電池）
１４０（１４０ａ，１４０ｂ）  ・・・  電力供給監視手段
１４１  ・・・  電源ＯＮ用光電変換素子
１４２  ・・・  サイリスタ（自己保持型半導体スイッチング素子）
１４３  ・・・  光ＭＯＳリレー（非自己保持型半導体スイッチング素子）
１４４  ・・・  電源電圧監視手段
１４５  ・・・  レギュレータ
１５０  ・・・  受信装置（遠隔操作手段）
１５１  ・・・  アンテナ
１０１，１０２，１０３，１０４，１０５，１０６，１０７，１０８  ・・・  ワイヤー
Ｃ      ・・・  チェーン
Ｃ１    ・・・  外リンクプレート
Ｃ２    ・・・  内リンクプレート
Ｃ３    ・・・  連結ピン
Ｓ１    ・・・  駆動側スプロケット
Ｓ２    ・・・  従動側スプロケット
Ｘ      ・・・  接着剤
Ｙ      ・・・  コーティング材
【図１】
2006162281.tif 000003
【図２】
2006162281.tif 000004
【図３】
2006162281.tif 000005
【図４】
2006162281.tif 000006
【図５】
2006162281.tif 000007
【図６】
2006162281.tif 000008
【図７】
2006162281.tif 000009
【図８】
2006162281.tif 000010